(57)【要約】【課題】撮像素子とレンズとの位置決め精度が高いカメラモジュール等を提供する。【解決手段】カメラモジュール１は、入射光を電気信号に変換して出力するセンサ５と、センサ５への光を入射光として透過するガラスカバー７と、センサ５及びガラスカバー７を保持し、センサ５が出力する電気信号が入力されるフレキシブル基板６と、入射光をセンサ５に集光させるレンズユニット２と、レンズユニット２を保持し、側壁部３ｅがフレキシブル基板６に取り付けられた台座３とを含み、台座３の側壁部３ｅの内面には、ガラスカバー７の側端面と接触してガラスカバー７を位置決めする突起部２５が形成されている。【選択図】図３
2008141364.tif 000002
【特許請求の範囲】
【請求項１】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
前記レンズを保持し、側壁部が前記基板に取り付けられた台座マウントと
を含み、
前記台座マウントの前記側壁部の内面には、前記カバー部材の側端面と接触して当該カバー部材を位置決めする突起部が形成されていることを特徴とするカメラモジュール。
【請求項２】
前記側壁部は、長方形又は正方形の前記カバー部材を囲み、
前記突起部は、前記側壁部の角部を挟んで少なくとも３つ形成されることを特徴とする請求項１に記載のカメラモジュール。
【請求項３】
前記側壁部は、長方形又は正方形の前記カバー部材を囲み、
前記突起部は、前記側壁部の相対する前記内面に少なくとも２つ形成され、且つ、その隣の前記内面に少なくとも１つ形成されることを特徴とする請求項１に記載のカメラモジュール。
【請求項４】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
前記レンズを保持し、側壁部が前記基板に取り付けられた台座マウントと、
前記カバー部材と前記台座マウントの前記側壁部とが複数個所の部分接触により当該カバー部材の位置決めを行う接触手段と
を含むことを特徴とするカメラモジュール。
【請求項５】
レンズを直接又は間接に保持する保持部と、
前記保持部とは反対側において当該保持部に保持された前記レンズからの光を受ける撮像素子を保護する板状の部材の周囲に形成され、且つ、基板に取り付けられる側壁部と、
前記側壁部の内面に形成され、且つ、前記部材の側端面に接触して当該部材を位置決めする突起部と
を含むことを特徴とする台座マウント。
【請求項６】
前記突起部は、前記部材の前記側端面と接触する位置から前記側壁部の下端面に向かう部分にはテーパが形成されていることを特徴とする請求項５に記載の台座マウント。
【請求項７】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
前記レンズを保持し、側壁部が前記基板に取り付けられた台座マウントと、
前記基板に接続され、当該基板から出力された前記電気信号を処理する信号処理部と
を含み、
前記台座マウントの前記側壁部の内面には、前記カバー部材の側端面と接触して当該カバー部材を位置決めする突起部が形成されていることを特徴とする撮像装置。
【発明の詳細な説明】
【技術分野】
【０００１】
本発明は、例えば携帯電話機等に搭載されるカメラモジュール、台座マウント及び撮像装置に関し、より詳しくは、小型化に好適なカメラモジュール等に関する。
【背景技術】
【０００２】
近年、携帯電話機等にもカメラシステムが搭載されるようになっている。このようなカメラシステムにおいては、マイクロレンズを用いて被写体画像をイメージセンサに結像させるカメラモジュールが広く使用されている。
携帯電話等が小型化されるに伴って、カメラモジュールのさらなる小型化が要求されている。
【０００３】
小型化を図り、且つ、焦点精度が高いカメラモジュールに関する技術として、特許文献１に該当する技術が従来から知られていた。
特許文献１には、「レンズと、このレンズを支持する鏡筒と、レンズを介して入射された光に基づきセンサ部により撮像し、撮像信号を出力するイメージセンサチップと、窓部を有する配線基板を備えている。ここで、鏡筒は、配線基板の面上に固定されている。そして、イメージセンサチップは、センサ部が配線基板の窓部に位置するように、配線基板の鏡筒が固定された面と反対側の面において固定される。」技術が開示されている。
【０００４】
【特許文献１】特開２００３−５１９７３号公報
【発明の開示】
【発明が解決しようとする課題】
【０００５】
カメラモジュールの小型化には、レンズを保持する鏡筒と撮像素子を収納する台座マウントとをワンパッケージ化して、活用されないスペースを排除することが有効である。センサに対するレンズの焦点調節は、レンズを保持するレンズ保持部のセンサを取り付ける台座マウントに対する高さ調節で対応している。しかし、光軸方向とは直交する方向、即ち、センサの縦横方向の調節（光軸合わせ）は、カバーガラスを収納する台座マウントの側壁部の内側壁面に、センサが取り付けられるカバーガラスを当接しただけであった。
センサの縦横方向のずれは偏心を生じ、矩形の撮像範囲の四隅が黒くなる等撮影品質に影響を与えることに鑑みると、偏心に関係する部品の位置精度は極力上げることが望ましい。
ここで、本発明が解決しようとする課題は、撮像素子とレンズとの縦横方向の位置決め精度が高いカメラモジュール等を提供することにある。
【課題を解決するための手段】
【０００６】
上記課題を解決するために、本発明にかかるカメラモジュールは、入射光を電気信号に変換して出力する撮像素子と、撮像素子への光を入射光として透過するカバー部材と、撮像素子及びカバー部材を保持し、撮像素子が出力する電気信号が入力される基板と、入射光を撮像素子に集光させるレンズと、レンズを保持し、側壁部が基板に取り付けられた台座マウントとを含み、台座マウントの側壁部の内面には、カバー部材の側端面と接触してカバー部材を位置決めする突起部が形成されていることを特徴とする。
【０００７】
上記カメラモジュールにおいて、側壁部は、長方形又は正方形のカバー部材を囲み、突起部は、側壁部の角部を挟んで少なくとも３つ形成されることを特徴とする。
上記カメラモジュールにおいて、側壁部は、長方形又は正方形のカバー部材を囲み、突起部は、側壁部の相対する内面に少なくとも２つ形成され、且つ、その隣の内面に少なくとも１つ形成されることを特徴とする。
【０００８】
上記課題を解決するために、本発明にかかるカメラモジュールは、入射光を電気信号に変換して出力する撮像素子と、撮像素子への光を入射光として透過するカバー部材と、撮像素子及びカバー部材を保持し、撮像素子が出力する電気信号が入力される基板と、入射光を撮像素子に集光させるレンズと、レンズを保持し、側壁部が基板に取り付けられた台座マウントと、カバー部材と台座マウントの側壁部とが複数個所の部分接触によりカバー部材の位置決めを行う接触手段とを含むことを特徴とする。
【０００９】
上記課題を解決するために、本発明にかかる台座マウントは、レンズを直接又は間接に保持する保持部と、保持部とは反対側において保持部に保持されたレンズからの光を受ける撮像素子を保護する板状の部材の周囲に形成され、且つ、基板に取り付けられる側壁部と、側壁部の内面に形成され、且つ、部材の側端面に接触して部材を位置決めする突起部とを含むことを特徴とする。
【００１０】
上記台座マウントにおいて、突起部は、部材の側端面と接触する位置から側壁部の下端面に向かう部分にはテーパが形成されていることを特徴とする。
【００１１】
上記課題を解決するために、本発明にかかる撮像装置は、入射光を電気信号に変換して出力する撮像素子と、撮像素子への光を入射光として透過するカバー部材と、撮像素子及びカバー部材を保持し、撮像素子が出力する電気信号が入力される基板と、入射光を撮像素子に集光させるレンズと、レンズを保持し、側壁部が基板に取り付けられた台座マウントと、基板に接続され、基板から出力された電気信号を処理する信号処理部とを含み、台座マウントの側壁部の内面には、カバー部材の側端面と接触してカバー部材を位置決めする突起部が形成されていることを特徴とする。
【発明の効果】
【００１２】
本発明によれば、撮像素子とレンズとの位置決め精度が高いカメラモジュール等を提供できる。
【発明を実施するための最良の形態】
【００１３】
以下、添付図面を参照して、本発明を実施するための最良の形態（実施の形態）について詳細に説明する。
図１は、本実施の形態にかかるカメラモジュール１を示す外観斜視図であり、図２は、本実施の形態にかかるカメラモジュール１の分解斜視図である。
図１及び図２に示すように、カメラモジュール１は、複数枚のレンズを保持し、入射光をセンサ５上で結像するレンズユニット２と、フィルタ４とセンサ５とを収容する側壁部３ｅを有し、且つ、レンズユニット２を保持する台座３とを備えている。また、カメラモジュール１は、外光の特定の周波数成分を除去するフィルタ４と、入射した光を電気信号に変換するセンサ５とを備えている。更に、カメラモジュール１は、フィルタ４とセンサ５との間に配置された方形のガラスカバー７と、台座３を接着し、センサ５から出力される出力信号を外部に伝えるフレキシブル基板（ＦＰＣ：Flexible Printed Circuit）６とを備えている。フレキシブル基板６の裏面の台座３に対応する位置には補強板１０が固着されている。尚、レンズユニット２を台座３に取り付けてなる部品を鏡筒と呼ぶことがある。
【００１４】
台座３は、レンズユニット２が取り付けられる円筒部３ａと、フィルタ４及びセンサ５を収容保持するための矩形部３ｂとが一体に構成されている。また、台座３は、円筒部３ａの内部空間と矩形部３ｂの内部空間とが連続するように構成されている。また、台座３は、内面から延びて内部空間を狭めるように形成されたフランジ部３ｄ（図３参照）を有する。
台座３の円筒部３ａにおける内周面には雌めじ３ｃが形成され、レンズユニット２の外周面には、この雌めじ３ｃに対応する雄ねじ２ｃが形成されている。そして、後述するように、レンズユニット２は、台座３の円筒部３ａに螺合して取り付けられる。尚、レンズ２ｂが台座３に直接取り付けられてもよい。
【００１５】
台座３の矩形部３ｂにおける円筒部３ａとは反対側の端面には、側壁部３ｅが形成されている。そして、この矩形部３ｂの側壁部３ｅの下端面がフレキシブル基板６と接着剤１１で固着される。更に説明すると、フレキシブル基板６は、柔軟性、屈曲性及び少スペース性を有する回路基板であり、一般的に、ポリエステル（ＰＥＴ）フィルム上に印刷又はエッチング等により回路が形成されてなる。そして、フレキシブル基板６の一端部に台座３が配置され、フレキシブル基板６の他端部にコネクタ６ａが配置されている。このコネクタ６ａは、フレキシブル基板６によってセンサ５と接続されており、図示しない外部機器と電気的に接続する機能を有する。
【００１６】
図３は、本実施の形態にかかるカメラモジュール１の縦断面図である。
図３に示すように、レンズユニット２は、レンズユニット２本体のバレル（ホルダ）２ａと、バレル２ａに保持される２枚のレンズ２ｂとを有する。バレル２ａの端面には開口部２ｄが形成されている。レンズ２ｂは、外光をセンサ５の受光領域（撮像エリア）５ａに集光させるための光学素子である。即ち、レンズ２ｂは、開口部２ｄからの光が結像してセンサ５に入射するように所定の光学系を形成する。本実施の形態では、２枚のレンズ２ｂで構成され、レンズ２ｂの間に中間環２ｅを備えている。この中間環２ｅは、通過光量を制限する絞り機能を有している。また、レンズ押さえ２ｆが２枚のレンズ２ｂを押さえている。レンズユニット２は、台座３の円筒部３ａにねじ込まれ、ねじ作用により結像調整が行われた後に接着剤１１（図４参照）により台座３に固着される。これにより、レンズユニット２の焦点合わせを実現している。本実施の形態では、レンズユニット２は２枚のレンズ２ｂで構成されているが、１枚或いは３枚であっても構わない。
なお、バレル２ａは、例えば、黒色のポリカーボネート、ポリブチレンテレフタレート等の遮光性のある合成樹脂により構成される。また、レンズ２ｂは、例えば、ポリカーボネートやオレフィン系の材料、シリコン系樹脂等の剛性樹脂やガラスにより構成される。
【００１７】
フィルタ４は、外光の特定の周波数成分を除去するフィルム状の部材であり、本実施の形態では、赤外線除去フィルタ（ＩＲＣＦ：Infrared Cut Filter）を用いている。フィルタ４は、図示しない接着剤によりフランジ部３ｄに取り付けられている。フィルタ４がフランジ部３ｄに取り付けられると、台座３の内部空間が２つに仕切られる。このフィルタ４は、センサ５の近傍に配置されており、これにより、乱反射の影響を抑制している。
センサ５は、ＣＣＤ（Charge Coupled Device）やＣＭＯＳ（Complementary Metal Oxide Semiconductor）等のイメージセンサ（撮像素子）であり、本実施の形態では、ＣＳＰ（Chip Scale Package）構造を有するセンサを用いている。センサ５は、レンズユニット２を介して受光領域５ａに入射した光に応じて電気信号を生成し、出力する。
【００１８】
ガラスカバー７は、フィルタ４とセンサ５との間に配置されている。ガラスカバー７には、センサ５が取り付けられている。更に説明すると、ガラスカバー７の出射面（下面）側には、センサ５の受光領域５ａに対応した領域を除いて配線パターンが予め設けられている。そして、この配線パターンの電極とセンサ５とをつなぐように複数の半田バンプ８が位置している。このように、電極の位置に取り付けられた半田バンプ８により、センサ５は、ガラスカバー７に固定されると共に、ガラスカバー７の電極と電気的に接続されている。
ここで、センサ５とガラスカバー７との離間距離は、半田バンプ８の大きさによって決定される。半田バンプ８の大きさを制御することは容易であることから、センサ５とガラスカバー７との位置決めを正確に行うことが可能である。また、複数の半田バンプ８により位置決めすることから、センサ５とガラスカバー７との離間距離が平均化される。
【００１９】
ガラスカバー７の出射面側の電極の別の位置には、半田バンプ９が配置されている。この半田バンプ９により、ガラスカバー７とフレキシブル基板６との間の電気的な接続が確保される。この半田バンプ９は、ガラスカバー７に固定されているセンサ５とフレキシブル基板６とが互いに離間するためのスペーサとしても用いられている。
なお、フレキシブル基板６の裏面の台座３に対応する位置に遮光性の補強板１０が接着剤１１で固着されている。補強板１０は、柔軟性を有するフレキシブル基板６の強度を高めるため及び遮光用の板状の部材であり、台座３の底面形状の外形とほぼ等しい大きさを有している。
【００２０】
図４に図３のＰ部の拡大断面図を示す。
本カメラモジュール１では、台座３は、接着剤１１によってフレキシブル基板６に接着されている。台座３には、ガラスカバー７の搭載面に円柱状の複数のボス１２が形成されている。このボス１２とガラスカバー７とが接触してガラスカバー７と台座３とが正確に位置決めされる。即ち、ボス１２とガラスカバー７とを突き当て、台座３の側壁部３ｅとフレキシブル基板６とを接着剤１１によって接着して、高さ方向の正確な位置決めをしている。このとき、台座３の側壁部３ｅの下端面とフレキシブル基板６の間にはギャップ１５があり、そのギャップ１５を接着剤１１で埋めて接着する。これにより、センサ５が取り付けられたガラスカバー７は、台座３の側壁部３ｅとフレキシブル基板６とによって覆われる。接着剤１１は、例えば紫外線硬化性や熱硬化性の接着剤であり、遮光性を有することが望ましい。
【００２１】
ボス１２は底面（ガラスカバー７の搭載面）２０（図５参照）の四辺のそれぞれに設けられ、本実施例では合計４つのボス１２が台座３に一体形成されている。尚、ボス１２の数は４つである必要はないが、ガラスカバー７がレンズ光軸に対して垂直な状態で安定するように、３つ以上形成されることが望ましい。フィルタ４の厚み分と、フィルタ４を当該フィルタ４の搭載面に固着させるための接着剤の厚み分を考慮して、当該フィルタ４の搭載面からボス１２の上面までの相対的な距離が決定され、そして、これに基づきボス１２の高さが決定される。
【００２２】
図５は、台座３を下方から見た図である。図５のＸ−Ｘ’面の断面図が図３の断面図に相当する。
図３に示されるように、台座３の底面には、フィルタ４の搭載面１３と、ボス１２を含むガラスカバー７の搭載面２０とがある。フィルタ４の搭載面１３は、ボス１２の内側に、段差を有して設けられている。ボス１２よりも入射側に窪んで形成されており、フィルタ４の位置を規制する機能を有する。なお、台座３は、接着剤１１によって発生するガスを抜くための孔部が形成されている（図示省略）。
【００２３】
また、台座３の底面のボス１２を含むガラスカバー７の搭載面２０には、側壁部３ｅに沿って溝部２１が形成されている。溝部２１は、接着剤１１のガラスカバー７に乗り上げた量を吸収する。溝部２１はボス１２と離間している。
側壁部３ｅの内面には突起部２５が形成されている。この突起部２５はガラスカバー７の側端面（側面）と突き合わさってガラスカバー７の縦横方向の位置決めをする。この実施例では、側壁部３ｅの内面１面当たり２個の突起部２５を有している。そして、突起部２５以外の箇所は突起部２５より凹んで、凹部２６を形成している。尚、突起部２５の数は内面１面当たり２個である必要はないが、ガラスカバー７が縦横方向に安定して位置決めされるために、側壁部３ｅの各隅部を挟んで少なくとも３個あること、或いは、側壁部３ｅの相対する内面に少なくとも２個配され、且つ、その隣の内面に少なくとも１個配されることが好ましい。このように、突起部２５とガラスカバー７の側端面との位置精度を確保することで、ガラスカバー７に取り付けられたセンサ５の縦横方向の位置精度（光軸位置精度）をより正しく確保することができる。
【００２４】
ここで、本実施の形態にかかるカメラモジュール１の製造方法を説明する。
センサ５の搭載されたガラスカバー７を、裏面に補強板１０が接着されたフレキシブル基板６に、半田バンプ９によって接合する。また、台座３にレンズユニット２を装着し、フィルタ４を接着剤により接着する。次に、台座３の側壁部３ｅ下端面（接着面）に接着剤１１を塗布して、フレキシブル基板６と台座３とを接着する。このとき、台座３の側壁部３ｅに形成された突起部２５がガラスカバー７の側端面と当接して位置合わせを実現する。
続いて、台座３の円筒部３ａにねじ込まれているレンズユニット２において結像調整した後に、接着剤１１によりレンズユニット２を台座３に固着する。これにより、レンズユニット２の焦点方向の位置調節（焦点合わせ）を実現する。
【００２５】
尚、台座３の側壁部３ｅの下端面に接着剤１１を塗布した後にフレキシブル基板６と台座３とを接着するため、フレキシブル基板６に接合したガラスカバー７を側壁部３ｅの内側に組み込んで側壁部３ｅの下端面とフレキシブル基板６とを接着する際に、ガラスカバー７に接着剤１１が乗り上げて台座３の内部に入り込む恐れがある。このガラスカバー７に乗り上げた接着剤１１がレンズユニット２からセンサ５の撮像領域５ａへの入射光を遮ってしまうと、撮影品質に影響を及ぼすため注意が必要であるが、側壁部３ｅの内面に突起部２５を設けることにより、側壁部３ｅがガラスカバー７に対して外側にシフトするため、ガラスカバー７の大きさに対して付着する接着剤１１の量は減少する。
【００２６】
側壁部３ｅの突起部２５とガラスカバー７との離間距離は寸法公差の最大値に設定してある。即ち、突起部２５が最大に出張って内部の領域がもっとも狭くなり、且つ、ガラスカバー７が最大に製作されたときでも、側壁部３ｅが形成する領域内にガラスカバー７が丁度入ることができる大きさに設定されている。
また、突起部２５は、溝部２１から立ち上がって、最大でガラスカバー７の厚さの半分の高さまで接触している。それよりも上の高さの部分はテーパを形成している。これにより、ガラスカバー７の縦横方向の位置決めができるとともに、組立作業時にガラスカバー７が突起部２５に引っかかることがなく、組立の作業効率が向上する。
また、側壁部３ｅは突起部２５の突起の大きさだけ壁厚を薄くしている。これにより、溝部２１の幅が広がり、ガラスカバー７に乗り上げる接着剤１１をより吸収でき、撮影品質への影響をより軽減できる。
【００２７】
ここで、例えば、本実施の形態にかかるカメラモジュール１はカメラモジュールにかかる発明（本発明）のカメラモジュールを、センサ５は本発明にかかる撮像素子を構成する。また、ガラスカバー７は本発明にかかるカバー部材を、フレキシブル基板６は本発明にかかる基板を構成する。更に、レンズユニット２は本発明にかかるレンズを、側壁部３ｅは本発明にかかる側壁部を構成する。更にまた、台座３は本発明にかかる台座マウントを、突起部２５は本発明にかかる突起部及び接触手段を構成する。
ここで、例えば、本実施の形態にかかる台座３は台座マウントにかかる発明の台座マウントを、レンズユニット２は台座マウントにかかる発明のレンズを構成する。また、円筒部３ａは台座マウントにかかる発明の保持部を、センサ５は台座マウントにかかる発明の撮像素子を構成する。更に、ガラスカバー７は台座マウントにかかる発明の部材を、フレキシブル基板６は台座マウントにかかる発明の基板を構成する。更にまた、側壁部３ｅは台座マウントにかかる発明の側壁部を、突起部２５は台座マウントにかかる発明の突起部を構成する。
【００２８】
尚、上記実施の形態では、側壁部３ｅの内面に形成された突起部２５がガラスカバー７に複数個所で部分接触して、ガラスカバー７の位置決めを行っていた。しかしながら、必ずしもこれに限定されるものではない。例えば、ガラスカバー７が突起部を備え、側壁部３ｅに複数個所で接触するようにしてもよい。複数個所の部分接触により、ガラスカバー７の位置決めが可能だからである。
また、上記実施の形態では、レンズ２ｂを保持するバレル２ａが台座３の円筒部３ａに羅合して取り付けられることで、レンズ２ｂが台座３に間接的に保持されていた。しかしながら、必ずしもこれに限定されるものではない。焦点精度が確保できるのであれば、台座３がレンズ２ｂを直接に保持するようにしてもよい。例えば、絞りを絞ったり、広角レンズを採用したりすることで、被写体震度を深くできれば、焦点精度の確保が容易となる。
更に、上記実施の形態では、台座３に形成された複数のボス１２にガラスカバー７が搭載されていた。しかしながら、必ずしもこれに限定されるものではない。ガラスカバー７が台座３に直接搭載されるようにしてもよい。突起部２５とガラスカバー７との接触に問題はないからである。ガラスカバー７に乗り上げる接着剤１１の量が多いときは、溝部２１に入り込むからである。
【００２９】
このように、本実施の形態にかかるカメラモジュール１は、入射光を電気信号に変換して出力するセンサ５と、センサ５への光を入射光として透過するガラスカバー７と、センサ５及びガラスカバー７を保持し、センサ５が出力する電気信号が入力されるフレキシブル基板６と、入射光をセンサ５に集光させるレンズユニット２と、レンズユニット２を保持し、側壁部３ｅがフレキシブル基板６に取り付けられた台座３とを含み、台座３の側壁部３ｅの内面には、ガラスカバー７の側端面と接触してガラスカバー７を位置決めする突起部２５が形成されている。よって、側壁部３ｅの内面に突起部２５を設けたことで、突起部２５が側壁部３ｅと接触してガラスカバー７の縦横方向の位置決めができる。これにより、縦横方向の位置決め精度が高いカメラモジュールを提供できる。
【００３０】
また、本実施の形態にかかるカメラモジュール１では、側壁部３ｅは、ガラスカバー７を囲み、突起部２５は、側壁部３ｅの角部を挟んで少なくとも３つ形成される。よって、側壁部３ｅの角部を挟んで少なくとも３つ形成される突起部２５が、ガラスカバー７の側端面と接触して位置決めをするので、ガラスカバー７に取り付けられたセンサ５の縦横方向の位置精度を確保できる。
更に、本実施の形態にかかるカメラモジュール１では、側壁部３ｅは、ガラスカバー７を囲み、突起部２５は、側壁部３ｅの相対する内面に少なくとも２つ形成され、且つ、その隣の内面に少なくとも１つ形成される。よって、側壁部３ｅの角部を挟んで少なくとも３つ形成される突起部２５が、ガラスカバー７の側端面と接触して位置決めをするので、ガラスカバー７に取り付けられたセンサ５の縦横方向の位置精度を確保できる。
【００３１】
このように、本実施の形態にかかるカメラモジュール１は、入射光を電気信号に変換して出力するセンサ５と、センサ５への光を入射光として透過するガラスカバー７と、センサ５及びガラスカバー７を保持し、センサ５が出力する電気信号が入力されるフレキシブル基板６と、入射光をセンサ５に集光させるレンズユニット２と、レンズユニット２を保持し、側壁部３ｅがフレキシブル基板６に取り付けられた台座３と、ガラスカバー７と台座３の側壁部３ｅとが複数個所の部分接触によりガラスカバー７の位置決めを行う接触手段としての突起部２５とを含む。よって、側壁部３ｅの内面に設けられた突起部２５が、側壁部３ｅと接触してガラスカバー７の縦横方向の位置決めをする。これにより、縦横方向の位置決め精度が高いカメラモジュールを提供できる。
【００３２】
このように、本実施の形態にかかる台座３は、レンズユニット２を保持する円筒部３ａと、円筒部３ａとは反対側において、円筒部３ａに保持されるレンズユニット２からの光を受けるセンサ５を保護するガラスカバー７の周りに形成され、且つ、フレキシブル基板６に取り付けられる側壁部３ｅと、側壁部３ｅの内面に形成され、且つ、ガラスカバー７の側端面と接触してガラスカバー７を位置決めする突起部２５とを含む。よって、側壁部３ｅの内面に設けられた突起部２５が、側壁部３ｅと接触してガラスカバー７の縦横方向の位置決めをする。これにより、縦横方向の位置決め精度が高いカメラモジュールを提供できる。
また、本実施の形態にかかる台座３では、突起部２５は、ガラスカバー７の側端面と接触する位置から側壁部３ｅの下端面に向かう部分にはテーパが形成されている。よって、カメラモジュールの組立作業時にガラスカバー７が突起部２５に引っかかることがなく、組立作業が容易となる。
【００３３】
（撮像装置）
続いて、本実施の形態のカメラモジュール１を搭載した撮像装置の一例としての携帯電話機１００について説明する。なお、本実施の形態のカメラモジュール１は、携帯電話機１００のほかに、例えば、パーソナルコンピュータやＰＤＡ（Personal Digital Assistant）に搭載されるカメラ、自動車に搭載されるカメラ又は監視カメラ等にも適用することが可能である。
【００３４】
図６は、携帯電話機１００の構成を示したブロック図である。図６に示すように、携帯電話機１００は、カメラモジュール１からの画像信号に対して画像処理を行う信号処理部の一例としての画像処理プロセッサ（ＩＳＰ）１０１と、携帯電話機１００における各種制御を行うＭＰＵ（Micro Processing Unit）１０２と、このＭＰＵ１０２にユーザからの指示を与えるための入力キー１０３と、を備えている。また、携帯電話機１００は、カメラモジュール１により撮影された被写体を映し出す液晶ディスプレイ（ＬＣＤ）１０４を備えている。また、携帯電話機１００は、携帯電話機１００を制御するための各種情報等を記憶するメモリ１０５と、画像データを記録するメモリカード１０６と、を備えている。
さらに、携帯電話機１００は、アンテナ１０７を介して例えば携帯電話帯の電波を受信して、携帯電話事業者等が提供するサーバと無線通信を行うＲＦ（Radio Frequency）部１０８と、通信をするための信号を生成するベースバンド部１０９と、通話時の音声や着信メロディ等の音を再生するオーディオコーデック部１１２と、オーディオコーデック部１１２からの信号に基づき着信鳴動音を出力するためのスピーカ１１０と、着信を光により通知するためＬＥＤ１１１と、を備えている。
【００３５】
また、カメラモジュール１は、例えばＩＩＣやＳＰＩ等のインターフェースによってＭＰＵ１０２との通信が行われて信号が送受信される。
携帯電話機１００では、入力キー１０３においてデジタルカメラ使用モードが選択されると、ＭＰＵ１０２はカメラモジュール１との通信を開始する。そして、ＭＰＵ１０２はカメラモジュール１に制御信号を送信する。すると、カメラモジュール１のレンズユニット２を透過した被写体からの光は、カメラモジュール１のセンサ５によって電気信号に変換され、ＩＳＰ１０１で信号処理が施される。ＩＳＰ１０１で信号処理された画像信号は、携帯電話機１００のメモリ１０５に一時的に保存され、ＬＣＤ１０４にスルー画として表示される。
【００３６】
ところで、被写体の撮影は、入力キー１０３にあるシャッタボタンで行われる。シャッタボタンを押すと、ＭＰＵ１０２は、ＩＳＰ１０１で処理された画像データをメモリ１０５に保存する。ＭＰＵ１０２には、ＪＰＥＧやＭＰＥＧ等の手法による圧縮解凍回路が含まれており、メモリ１０５に保存された画像データは、ＭＰＵ１０２により圧縮処理されてメモリカード１０６に記録される。また、メモリカード１０６に記録された画像データをＭＰＵ１０２によって解凍してメモリ１０５に読み込み、ＬＣＤ１０４に再度表示させることも可能である。
なお、ＭＰＵ１０２では、入力キー１０３からの操作により、撮影モードの選択やホワイトバランスや露出、感度等の設定が可能である。また、ＩＳＰ１０１で処理された画像データをメモリ１０５に保存する際に、デジタルズーム処理を行うことも可能である。
【００３７】
ここで、例えば、本実施の形態にかかる携帯電話機１００は撮像装置にかかる発明（本発明）の撮像装置を、センサ５は本発明にかかる撮像素子を構成する。また、ガラスカバー７は本発明にかかるカバー部材を、フレキシブル基板６は本発明にかかる基板を構成する。更に、レンズユニット２は本発明にかかるレンズを、側壁部３ｅは本発明にかかる側壁部を構成する。更にまた、台座３は本発明にかかる台座マウントを、ＩＳＰ１０１は本発明にかかる画像処理部を、突起部２５は本発明にかかる突起部をそれぞれ構成する。
【００３８】
このように、本実施の形態にかかる携帯電話機１００は、入射光を電気信号に変換して出力するセンサ５と、センサ５への光を入射光として透過するガラスカバー７と、センサ５及びガラスカバー７を保持し、センサ５が出力する電気信号が入力されるフレキシブル基板６と、入射光をセンサ５に集光させるレンズユニット２と、レンズユニット２を保持し、側壁部３ｅがフレキシブル基板６に取り付けられた台座３と、フレキシブル基板６に接続され、フレキシブル基板６から出力された電気信号を処理するＩＳＰ１０１とを含み、台座３の側壁部３ｅの内面には、ガラスカバー７の側端面と接触してガラスカバー７を位置決めする突起部２５が形成されている。よって、側壁部３ｅの内面に設けられた突起部２５が、側壁部３ｅと接触してガラスカバー７の縦横方向の位置決めをする。これにより、縦横方向の位置決め精度が高いカメラモジュール１を搭載した携帯電話機１００を提供できる。
【図面の簡単な説明】
【００３９】
【図１】本実施の形態にかかるカメラモジュールの外観斜視図である。
【図２】図１に示すカメラモジュールの分解斜観図である。
【図３】図１に示すカメラモジュールの縦断面図である。
【図４】図３に示すＰ部の拡大断面図である。
【図５】図１に示すカメラモジュールの台座を下から見た斜視図である。
【図６】本実施の形態にかかる携帯電話機の構成を示したブロック図である。
【符号の説明】
【００４０】
１…カメラモジュール（カメラモジュール）、２…レンズユニット（レンズ）、２ａ…バレル、２ｂ…レンズ、２ｃ…雄ねじ、２ｄ…開口部、２ｅ…中間環、２ｆ…レンズ押さえ、３…台座（台座マウント）、３ａ…円筒部（保持部）、３ｂ…矩形部、３ｃ…雌めじ、３ｄ…フランジ部、３ｅ…側壁部（側壁部）、４…フィルタ、５…センサ（撮像素子）、６…フレキシブル基板（基板）、６ａ…コネクタ、７…ガラスカバー（カバー部材、部材）、８，９…半田バンプ、１０…補強板、１１…接着剤（接着剤）、２１…溝部、２５…突起部（突起部、接触手段）、２６…凹部、１００…携帯電話機、１０１…画像処理プロセッサ（ＩＳＰ）（信号処理部）、１０２…ＭＰＵ、１０３…入力キー、１０４…液晶ディスプレイ（ＬＣＤ）、１０５…メモリ、１０６…メモリカード、１０７…アンテナ、１０８…ＲＦ部、１０９…オーディオコーデック部、１１０…スピーカ、１１１…ＬＥＤ
【図１】
2008141364.tif 000003
【図２】
2008141364.tif 000004
【図３】
2008141364.tif 000005
【図４】
2008141364.tif 000006
【図５】
2008141364.tif 000007
【図６】
2008141364.tif 000008